(57)【要約】【目的】  複数トラックの演奏データからなる楽曲データのうち、指定したトラックに係る演奏データに基づく演奏を容易に試聴できるようにする。【構成】  電子楽器１０に、複数トラックの演奏データからなる楽曲データを記憶させると共に、トラックの指定を受け付け、その指定されているトラックの試聴の指示を受け付けるための試聴ボタン４３が押下された場合に、上記楽曲データのうち、指定されているトラックの演奏データを再生すると共に、その他のトラックの演奏データを、上記指定されているトラックよりも小さい音量で再生させるようにした。【選択図】        図３
2006106641.tif 000002
【特許請求の範囲】
【請求項１】
複数トラックの演奏データからなる楽曲データを記憶する記憶手段と、
１又は複数のトラックを指定する指定手段と、
前記指定手段により指定されているトラックの試聴の指示を受け付けるための操作子と、
前記試聴の指示がなされた場合に、前記楽曲データのうち、前記指定手段により指定されているトラックの演奏データを再生すると共に、その他のトラックの演奏データを、前記指定されているトラックよりも小さい音量で再生する再生手段とを設けたことを特徴とする電子音楽装置。
【請求項２】
請求項１記載の電子音楽装置であって、
前記楽曲データの内容に基づいて楽譜を表示する楽譜表示手段を設け、
該手段に、前記再生手段が楽曲データを再生する場合に、前記指定手段により指定されているトラックの演奏データに基づく楽譜を表示させるようにしたことを特徴とする電子音楽装置。
【請求項３】
請求項１又は２記載の電子音楽装置であって、
鍵盤上の押鍵すべき鍵を表示する鍵表示手段を設け、
該手段に、前記再生手段が楽曲データを再生する場合に、前記指定手段により指定されているトラックの演奏データの再生に合わせて、該演奏データに係るパートを演奏するために押鍵すべき鍵を表示させるようにしたことを特徴とする電子音楽装置。
【請求項４】
複数トラックの演奏データからなる楽曲データを記憶する記憶手段と、
１又は複数のトラックを指定する指定手段と、
前記指定手段により指定されているトラックの試聴の指示を受け付けるための第１の操作子と、
前記指定手段により指定されているトラック以外の再生の指示を受け付けるための第２の操作子と、
前記試聴の指示がなされた場合に、前記楽曲データのうち、前記指定手段により指定されているトラックの演奏データを再生すると共に、その他のトラックの演奏データを、再生しないか又は前記指定されているトラックよりも小さい音量で再生する第１の再生手段と、
前記再生の指示がなされた場合に、前記楽曲データのうち、前記指定手段により指定されていないトラックの演奏データを再生すると共に、前記指定手段により指定されているトラックの演奏データを、再生しないか又は前記指定されていないトラックよりも小さい音量で再生する第２の再生手段とを設け、
前記第１の操作子と前記第２の操作子とを、操作パネル上の近接した位置に設けたことを特徴とする電子音楽装置。
【発明の詳細な説明】
【技術分野】
【０００１】
この発明は、複数トラックの演奏データからなる楽曲データを再生する機能を有する電子音楽装置に関する。
【背景技術】
【０００２】
従来から、キーボード等の電子楽器において、複数トラックの演奏データからなる楽曲データを再生する機能を有するものが知られている。また、このような機能を備えた電子楽器において、ユーザが練習スイッチ（レッスンボタン）を押下した場合に、練習パートとして指定したパート以外のパートに係るトラックの演奏データを再生し、練習パートに係るトラックについては、再生しない代わりに、演奏データに基づいて鍵盤上で押鍵すべき鍵をランプの点灯等によって指示したり、演奏すべき内容を楽譜として表示したりするようにすることも行なわれている。
このような電子楽器については、非特許文献１及び特許文献１に記載されている。
【非特許文献１】「ＰＯＲＴＡＴＯＮＥ  ＥＺ−Ｊ５３  取扱説明書」，ヤマハ株式会社，２００２年，ｐ．３５−４４
【特許文献１】特開２００３−２２３１６５号公報
【０００３】
また、自動ピアノのような鍵盤楽器で使用する楽曲データについて、右手用（メロディー用）の演奏データと左手用（伴奏用）の演奏データとを別々に記憶し、これらのデータに別々にアクセスできるようにして、演奏練習に先立ち、右手用又は左手用の演奏パートだけを試聴できるようにすることも知られている。このような技術については、特許文献２に記載されている。
【特許文献２】特開平６−１１８８６７号公報
【発明の開示】
【発明が解決しようとする課題】
【０００４】
ところで、電子音楽装置においては、楽曲データのうち、指定したトラックに係る演奏内容を試聴したいという要求もあった。例えば、楽曲の練習を行う際に、これから演奏しようとするパートの手本を聴いてから演奏を開始したい等の要求である。
しかし、上述の非特許文献１及び特許文献１に記載の電子楽器においては、トラック毎にオン／オフを切り替えることができるのみであるので、このような試聴を行おうとする場合、再生したいパートに係るトラック以外のトラックを全てオフに設定する必要があるため、設定が面倒で時間がかかるという問題があった。
【０００５】
また、特許文献２に記載の鍵盤楽器では、右手用と左手用のうち一方の演奏データに基づく演奏を試聴することができる。しかし、右手用と左手用の演奏データの区別しかしていないので、３以上のトラックが存在する場合には対応できないという問題があった。また、市販の楽曲データで、トラックが右手用パートに係るものと左手用パートに係るものに区別されていない場合にも対応できないという問題があった。
この発明は、このような問題を解決し、電子音楽装置において、複数トラックの演奏データからなる楽曲データのうち、指定したトラックに係る演奏データに基づく演奏を容易に試聴できるようにすることを目的とする。
【課題を解決するための手段】
【０００６】
上記の目的を達成するため、この発明の電子音楽装置は、複数トラックの演奏データからなる楽曲データを記憶する記憶手段と、１又は複数のトラックを指定する指定手段と、上記指定手段により指定されているトラックの試聴の指示を受け付けるための操作子と、上記試聴の指示がなされた場合に、上記楽曲データのうち、上記指定手段により指定されているトラックの演奏データを再生すると共に、その他のトラックの演奏データを、上記指定されているトラックよりも小さい音量で再生する再生手段とを設けたものである。
【０００７】
このような電子音楽装置において、上記楽曲データの内容に基づいて楽譜を表示する楽譜表示手段を設け、その手段に、上記再生手段が楽曲データを再生する場合に、上記指定手段により指定されているトラックの演奏データに基づく楽譜を表示させるようにするとよい。
さらに、鍵盤上の押鍵すべき鍵を表示する鍵表示手段を設け、その手段に、上記再生手段が楽曲データを再生する場合に、上記指定手段により指定されているトラックの演奏データの再生に合わせて、その演奏データに係るパートを演奏するために押鍵すべき鍵を表示させるようにするとよい。
【０００８】
また、この発明は、複数トラックの演奏データからなる楽曲データを記憶する記憶手段と、１又は複数のトラックを指定する指定手段と、上記指定手段により指定されているトラックの試聴の指示を受け付けるための第１の操作子と、上記指定手段により指定されているトラック以外の再生の指示を受け付けるための第２の操作子と、上記試聴の指示がなされた場合に、上記楽曲データのうち、上記指定手段により指定されているトラックの演奏データを再生すると共に、その他のトラックの演奏データを、再生しないか又は上記指定されているトラックよりも小さい音量で再生する第１の再生手段と、上記再生の指示がなされた場合に、上記楽曲データのうち、上記指定手段により指定されていないトラックの演奏データを再生すると共に、上記指定手段により指定されているトラックの演奏データを、再生しないか又は上記指定されていないトラックよりも小さい音量で再生する第２の再生手段とを設け、上記第１の操作子と上記第２の操作子とを、操作パネル上の近接した位置に設けた電子音楽装置も提供する。
【発明の効果】
【０００９】
以上のようなこの発明の電子音楽装置によれば、複数トラックの演奏データからなる楽曲データのうち、指定したトラックに係る演奏データに基づく演奏を容易に試聴できるようにすることができる。
【発明を実施するための最良の形態】
【００１０】
以下、この発明を実施するための最良の形態を図面に基づいて具体的に説明する。
まず、図１を用いて、この発明の電子音楽装置の実施形態である電子楽器の構成について説明する。図１はその電子楽器の構成を示すブロック図である。
図１に示すように、電子楽器１０は、ＣＰＵ１１，ＲＯＭ１２，ＲＡＭ１３，タイマ１４，外部記憶媒体インタフェース（Ｉ／Ｆ）１５，ＭＩＤＩ（Musical Instruments Digital Interface：登録商標）Ｉ／Ｆ１６，検出回路１７，表示回路１８，音源回路１９，通信Ｉ／Ｆ２０を備え、これらが通信バス２５によって接続されている。また、鍵盤２１及びパネル操作子２２を検出回路１７に接続し、表示装置２３を表示回路１８に接続し、サウンドシステム２４を音源回路１９に接続してそれぞれ備えている。
【００１１】
そして、ＣＰＵ１１は、電子楽器１０全体を統括制御する制御手段であり、ＲＯＭ１２や外部記憶媒体Ｉ／Ｆ１５等に記憶している所要の制御プログラムを実行することにより、電子楽器１０の各部の動作を制御し、以下に説明するこの発明の実施形態の特徴に係る機能を始め、種々の機能を実現することができる。
ＲＯＭ１２は、変更の不要なデータを記憶させる不揮発性の記憶手段である。
【００１２】
ここで、図２に、ＲＯＭ１２に記憶させるデータの構成を示す。
この図に示すとおり、ＲＯＭ１２には、ＣＰＵ１１が実行する制御プログラムや、電子楽器１０の初期設定値、楽曲データ等を記憶させるようにしている。
このうち、制御プログラムは、ＣＰＵ１１に電子楽器１０を制御させて種々の機能を実現させるためのものであり、初期設定値は、通常演奏，自動演奏，および楽曲データ再生を行う際に全般的な発音内容や表示内容を定めるために使用する、テンポデータ，音色データ，音量データ，楽曲名データ等のデータである。
【００１３】
また、楽曲データは、楽曲の内容を示すＭＩＤＩ形式のデータであり、各々１６トラックの演奏データからなる。そして、電子楽器１０に予め記憶させておく楽曲データについては、第１トラックを右手（メロディ）パートに、第２トラックを左手（伴奏）パートに対応付けるようにしている。その他のトラックがどのようなパートに対応付けられるかは、楽曲に応じて異なるし、全てのトラックにデータがある必要はない。
そして、各トラックの演奏データは、楽曲の再生内容を表わす情報であり、メロディパートに対応付けられるトラックでは主旋律を再生するための情報、それ以外のトラックでは主旋律以外の部分（和音演奏，ベース演奏，リズム演奏等）を再生するための情報である。そして、これらの情報は、再生進行順に配置されたタイミングデータとイベントデータの組み合わせを含む。
【００１４】
また、このうちタイミングデータは、対応するイベントデータが示すイベントに係る処理を行うべきタイミング（時間）を示すデータであり、１つのタイミングに複数のイベントが対応している場合もある。そして、イベントデータは、楽曲を再生させるための各種イベントの内容を示すデータであり、ノートオンイベント、ピッチチェンジイベント、ノートオフイベント、テンポチェンジイベント、音色チェンジイベント等がある。
以上のようなデータを記憶するＲＯＭ１２は、書き換え可能な不揮発性記憶手段によって構成し、データを追加やアップデートできるようにしてもよい。また、楽曲データをＲＯＭ１２に記憶させず、再生する楽曲データを全て後述する記憶媒体や外部装置から読み出させるようにしてもよい。
【００１５】
図１の説明に戻ると、ＲＡＭ１３は、ＣＰＵ１１のワークエリアとして使用したり、再生する楽曲データを一時的に記憶させたり、一時的に使用するパラメータの値等を記憶させたりする記憶手段である。
タイマ１４は、計時手段であり、楽曲データに基づいて楽曲の演奏を行う場合の、指定されたテンポに従ったノートオンやノートオフ等のイベントに関する処理のタイミング制御等に使用される。
【００１６】
外部記憶媒体Ｉ／Ｆ１５は、フレキシブルディスクドライブ（ＦＤＤ）やメモリカードスロット等、外部の記憶媒体に対してデータの読み書きを行う手段である。そして、電子楽器１０においては、この外部記憶媒体Ｉ／Ｆ１５により記憶媒体から読み出した楽曲データに基づく演奏を行うことも可能である。
ＭＩＤＩＩ／Ｆ１６は、ＭＩＤＩ規格に従ったデータを授受するためのインタフェースであり、例えば、ＭＩＤＩに対応した別の電子楽器あるいはＭＩＤＩデータを取り扱うアプリケーションプログラムを備えたコンピュータ等と通信を行うために用いる。
【００１７】
検出回路１７は、鍵盤２１やパネル操作子２２においてなされた操作の内容を検出してＣＰＵ１１に伝える検出手段である。また、鍵盤２１は、ユーザが電子楽器１０を演奏する際に使用するものであり、パネル操作子２２は、電子楽器１０の操作パネルに設けられ、ユーザが種々の設定操作や動作指示を行うためのボタンやエンコーダ等の操作子である。
表示回路１８は、ＣＰＵ１１からの指示に従って表示装置２３における表示を制御する表示制御手段である。そして、表示装置２３は、操作パネル上に設けられた液晶ディスプレイ（ＬＣＤ）や発光ダイオード（ＬＥＤ）等によって構成される表示手段であり、メッセージ、楽譜、鍵盤、各ボタンのＯＮ／ＯＦＦ状態等の表示を行う。また、鍵盤２１には、押鍵ガイド用のランプを設けており、このランプも表示装置２３に該当する。
【００１８】
音源回路１９は、楽曲データを構成する各トラックの演奏データを基に複数の発音チャンネルで波形データを生成し、スピーカ等によるサウンドシステム２４に送信して発音させ、楽曲データを再生する音源手段である。この場合において、楽曲データのうち一部のトラックの演奏データのみを用い、その演奏データに基づいた再生を行うことも可能である。また、トラックごとに異なる条件（音量，音色等）で再生を行うことも可能である。また、ユーザによる鍵盤２１の操作に応じて、サウンドシステム２４に指定された音色の音を出力させることも当然可能である。
【００１９】
通信Ｉ／Ｆ２０は、Ｅｔｈｅｒｎｅｔ（登録商標）方式やＩＥＥＥ（Institute of Electrical and Electronic Engineers）１３９４方式等の通信を行うためのインタフェースであり、このインタフェースを介して電子楽器１０を通信ネットワークに接続することができる。そして、この通信ネットワークを介して外部装置から楽曲データをダウンロードして再生することもできる。
【００２０】
そして、電子楽器１０は、以上の各部により、次のような機能を実現することができる。
まず、ユーザによる鍵盤２１上の鍵操作（押鍵）に応じた楽音を生成して出力することができる。また、パネル操作子２２によって指定された伴奏スタイルやリズムパターンに対応する伴奏音やリズム音を、半自動的に又は自動的に生成することもできる。さらに、ユーザが指定した楽曲データに基づく自動演奏が可能であり、この場合に、楽曲データ中のトラック毎に演奏ＯＮ／ＯＦＦを指定することもできる。さらにまた、自動演奏を行う場合に、その自動演奏に使用している楽曲データに基づいてＬＣＤに楽譜を表示させたり、指定されたパートの演奏データに基づいて鍵のランプをその鍵を押鍵すべきタイミングで点灯させたりすることにより、ユーザによる演奏を補助するガイド機能も有する。
【００２１】
次に、このような電子楽器１０の操作パネルの構成について説明する。
図３に、その操作パネルの構成を示す。
図３においては、上側に、電子楽器１０の模式的な平面図を示している。そして、この図からわかるように、電子楽器１０においては、その上面手前側に演奏用の鍵盤２１を設け、奥の左右側に音声出力用のスピーカ３１，３２（サウンドシステム２４に該当する）を設けている。そして、破線で示すように、奥側の中央部に、ユーザが種々の設定操作や動作指示を行うための操作子や、メッセージや楽譜等を表示するための表示パネル等を備える操作パネル４０を設けている。そして、図３の下側の破線内の部分に、この操作パネル部４０のより詳細な平面図を示している。
【００２２】
この図からわかるように、操作パネル４０には、左手ボタン４１，右手ボタン４２，試聴ボタン４３，練習ボタン４４，開始／終了ボタン４５，マスタボリューム４６，ソング指定ボタン４７，音色指定ボタン４８，エンタボタン４９，ＬＣＤ５０，テンキー６０を設けている。
【００２３】
左手ボタン４１は、楽曲のうち左手パートを練習パートとして指定するためのボタンである。そして、このボタンの押下により、指定のＯＮ／ＯＦＦをトグルで切り替えることができるようにしている。また、左手ボタン４１にはＬＥＤによるランプを設けており、左手パートが練習パートとして指定されている場合にこのランプを点灯、されていない場合に消灯することにより、指定のＯＮ／ＯＦＦの状態をユーザが容易に認識できるようにしている。
なお、電子楽器１０に予め記憶させておく楽曲データについては、左手パートに対応付けるトラックは第２トラックで固定しているが、それ以外の楽曲データを使用する場合には、左手ボタン４１を押下しながらテンキー６０を操作することにより、左手パートに任意のトラックを対応付けることができる。
【００２４】
また、右手ボタン４２は、楽曲のうち右手パートを練習パートとして指定するためのボタンであり、指定のＯＮ／ＯＦＦを左手パートとは独立にトグルで切り替えることができるようにしている。その他、左手ボタン４１の場合と同様にランプによるＯＮ／ＯＦＦ状態表示やトラックの対応付けが可能である。そして、左手ボタン４１との組み合わせで、左手パートのみ、右手パートのみ、またはその両方を、練習パートとして指定することができる。この指定は、自動演奏中にも任意に変更可能である。
【００２５】
試聴ボタン４３は、第１の操作子に該当し、試聴のため、練習パートとして指定されているパート（に対応付けられたトラック）の再生を指示するためのボタンである。そして、このボタンが押下された場合、電子楽器１０は、練習パートと対応付けられたトラックの演奏データを再生すると共に、その他のトラックの演奏データを、練習パートと対応付けられたトラックよりも小さい音量で再生する。このような再生を「試聴モード」の再生と呼ぶことにする。また、再生中に再度試聴ボタン４３が押下された場合には、この再生を停止する。
【００２６】
一方、練習ボタン４４は、第２の操作子に該当し、練習パートとして指定されているパートの練習のため、そのパート（に対応付けられたトラック）以外の再生を指示するためのボタンである。そして、このボタンが押下された場合、電子楽器１０は、練習パートと対応付けられていないトラックの演奏データを再生する。このような再生を「練習モード」の再生と呼ぶことにする。また、再生中に再度練習ボタン４４が押下された場合には、この再生を停止する。
これらの試聴ボタン４３と練習ボタン４４は、操作パネル４０上で隣接させ、近接した位置に設けている。
【００２７】
また、開始／終了ボタン４５は、通常の自動演奏（全てのトラックを同じ音量で再生する動作）の開始／終了を指示するためのボタンであり、また、試聴モードや練習モードの再生中にこのボタンを押下することにより、再生の停止を指示することもできる。
マスタボリューム４６は、楽曲データの再生や押鍵に応じた発音の音量を相対的に調整するための操作子である。そして、電子楽器１０が実際に発音する音量は、上記のモードに応じたトラック毎の音量調整や発音イベントにおけるベロシティ等によって定められる音量の大小関係を維持したまま、マスタボリューム４６によって調整される。また、マスタボリューム４６以外に、右手パートや左手パートの音量を調整するための操作子を設けることも考えられる。
【００２８】
ソング指定ボタン４７は、練習したり自動演奏させたりする楽曲の楽曲データを指定するためのボタンであり、このボタンを押下した後、テンキー６０で楽曲データの番号を入力することにより指定を行うことができる。外部記憶媒体Ｉ／Ｆ１５に装着した記憶媒体や通信ネットワーク上の外部装置に記憶されている楽曲データを指定してＲＡＭ１３に読み込ませることも可能である。
音色指定ボタン４８は、押鍵に応じた発音や自動演奏の際に使用する音色を指定するためのボタンであり、このボタンを押下した後、テンキーで音色の番号を入力することにより指定を行うことができる。この音色には、例えばピアノ、バイオリン等がある。
エンタボタン４９は、テンキー６０により数字を入力する場合に、その入力を確定させるためのボタンである。
【００２９】
ＬＣＤ５０は、種々の画像や文字等を表示する表示部であり、その表示画面中に、文字表示部５１，楽譜表示部５２，鍵盤表示部５３を備える。そして、文字表示部５１には、再生対象の楽曲データや使用する音色の名称、設定されている動作モード等の、電子楽器１０の動作内容や設定内容、あるいはユーザに対するメッセージ等を表示させる。また、楽譜表示部５２には、自動演奏中の楽曲あるいはその中の練習パートとして指定したパートの内容を楽譜として表示させる。楽曲あるいはパートの内容によっては、五線譜を複数段にしたり、五線譜以外の楽譜を使用したりすることも考えられる。鍵盤表示部５３には、鍵盤の画像を表示させると共に、自動演奏中の楽曲あるいはその中の練習パートとして指定したパートを演奏するために押鍵する鍵を、反転表示等により表示させるようにしている。
テンキー６０は、０から９までの数字のキーと、増加キー（＋）及び減少キー（−）とからなり、数字を入力する際に使用するキーである。
【００３０】
以上の各操作子や表示部の機能は、ＣＰＵ１１が所要の制御プログラムを実行し、検出回路１７によって検出した各操作子の操作内容に応じた処理を行うことにより、実現されるものである。そして、この実施形態の特徴は、試聴ボタン４３を設け、このボタンによる指示があった場合に試聴モードでの楽曲データの再生を行うことができるようにした点と、試聴ボタン４３を、練習ボタン４４に近接させて設け、試聴モードと練習モードの選択を操作性よく行うことができるようにした点である。
【００３１】
次に、これらの機能を実現するためにＣＰＵ１１が実行する処理について説明する。なお、その他の一般的な機能を実現するための処理については、説明を省略する。
まず、試聴モードや練習モードでの再生を行う際には、再生する楽曲データと、練習パートとを指定しておく必要がある。また、左手パート及び右手パートと対応させるトラックについても、デフォルトの状態から変更することが可能である。
そして、ＣＰＵ１１には、これらの指定や変更に係る処理として、表１の左側の列に記載した各操作を検出した場合に、その右側の欄に記載した処理を実行させるようにしている。
【００３２】
【表１】
2006106641.tif 000003
【００３３】
これらの処理により、楽曲データ及び練習パートの指定と、各パートへのトラックの対応付けとを行うことができる。また、再生すべき楽曲データをＲＡＭ１３に記憶させ、任意のタイミングで読み出せる状態にすることができる。そして、練習パートの指定と、右手パート及び左手パートへのトラックの対応付けとにより、練習対象として他のトラックと異なる取り扱いをするトラックの指定を行うことができ、これらの処理において、ＣＰＵ１１は指定手段として機能する。
【００３４】
なお、楽曲データは、外部記憶媒体Ｉ／Ｆ１５に装着した記憶媒体や、通信Ｉ／Ｆ２０を介して通信可能な外部装置から読み出すようにすることも考えられる。また、ＲＯＭ１２に予め記憶させてある楽曲データについては、第１トラックを右手パートに、第２トラックを左手パートに対応付けられているので、予め記憶させてある楽曲データが指定された場合には、トラックの対応付けを自動的にこのように変更し、対応付けの変更ができないようにしてもよい。
【００３５】
次に、図４に、試聴ボタン４３が押下された場合にＣＰＵ１１が実行する処理のフローチャートを示す。この処理は、試聴モードでの楽曲データの再生に係る処理である。
ＣＰＵ１１は、試聴ボタン４３の押下を検出すると、図４のフローチャートに示す処理を開始する。そして、再生する楽曲データ及び練習パートが指定されていれば、ステップＳ１１からステップＳ１２以下に進む。そして、再生する楽曲データのうち、練習パートに対応付けられているトラックの演奏データをマスタボリューム４６で設定されている音量で再生すると共に、その他のトラックの演奏データを、練習パートに対応付けられているトラックよりも所定量（例えば２０デシベル）小さい音量で再生する（Ｓ１２，Ｓ１３）。
【００３６】
この場合、「その他のトラック」については、マスタボリューム４６で設定されている音量よりも所定量小さい音量が設定されているものとして再生することになる。従って、演奏データの内容によっては、練習パートに対応付けられているトラックよりも大きな音を発音することになる箇所がある場合も考えられる。
また、「その他のトラック」のうち特定のトラック、例えばリズムパートのトラックだけを練習パートと同様にマスタボリューム４６で設定されている音量で再生してもよい。このようにすれば、リズムの流れの中で練習パートの押鍵タイミングを掴み易くなり、より効果的な試聴となる。
【００３７】
なお、上記の「所定量」は、ユーザが自由に変更できるようにするとよい。また、「その他のトラック」について音量を０にする、すなわち再生しないようにすることも考えられる。また、演奏のテンポについては、楽曲データに含まれる指定内容に従うようにしてもよいし、ユーザが指定した内容に従うようにしてもよい。
また、練習パートの指定は、演奏中にも随時変更可能であるから、ステップＳ１２及びＳ１３の処理を行うに際して、毎回ＲＡＭ１３に記憶されている指定内容を確認するようにするとよい。
これらのステップＳ１２及びＳ１３の処理においては、ＣＰＵ１１が第１の再生手段として機能する。
【００３８】
また、楽曲データの再生と共に、練習パートに対応付けられているトラックの演奏データに基づいて、ＬＣＤ５０の楽譜表示部５２に練習パートの楽譜を表示させる処理と、鍵盤表示部５３に練習パートの演奏ために押鍵すべき鍵を押鍵すべきタイミングで反転表示させる処理とを行う（Ｓ１４，Ｓ１５）。
これらのステップＳ１４及びＳ１５の処理においては、ＣＰＵ１１及びＬＣＤ５０が、それぞれ楽譜表示手段と鍵表示手段として機能する。
【００３９】
そしてその後、演奏データが終了するか、または試聴ボタン４３又は開始／終了ボタン４５が押下されるまで、ステップＳ１２に戻って処理を繰り返し、演奏データが終了するか、又は試聴ボタン４３又は開始／終了ボタン４５が押下された場合には、処理を終了する（Ｓ１６，Ｓ１７）。
また、ステップＳ１１で楽曲データ又は練習パートが指定されていなかった場合には、ＬＣＤ５０の文字表示部にその旨を示すメッセージを表示させて（Ｓ１８）処理を終了する。
【００４０】
以上の処理を行うことにより、ユーザは、試聴ボタン４３を押下するだけで練習したいパートの内容をそれ以外のパートと区別して試聴できるので、練習したいパートの内容を簡単な操作で容易に把握することができる。また、同時に他のパートについても小さな音量で聞くことができるので、楽曲の開始からの流れが把握でき、練習したいパートの弾き始めのタイミングを容易に把握することができる。例えば、伴奏パートやリズムパートが先に始まり、メロディーパートが後から始まるような楽曲構成であっても、メロディーパートの開始タイミングを容易に把握することができる。従って、楽曲の演奏を効率的に練習することができる。
また、練習パートについて楽譜や押鍵すべき鍵を表示するようにすれば、楽曲の内容や演奏手順を視覚的に把握することもでき、楽曲の演奏を一層効率的に練習することができる
【００４１】
なお、図４に示した処理において、ステップＳ１３では、練習パートに対応付けられているトラック以外の全てのトラックについて再生を行う必要はなく、伴奏パートやリズムパート等に対応する一部のトラックのみの再生を行うようにしてもよい。この場合、再生するトラックとしては、イントロやエンディング等を含み、楽曲の開始、終了のタイミングがわかるようなパートに対応するトラックがよい。また、試聴モードにおいてどのパート（あるいはトラック）を再生するかは、自動的に設定されるようにしても、ユーザが自由に設定できるようにしてもよい。
【００４２】
また、ステップＳ１２乃至Ｓ１５に示した処理において、再生及び楽譜や鍵の表示については、任意の順番で行ってよい。また、楽譜や鍵の表示は行わなくてもよい。
また、押鍵すべき鍵の表示を、ＬＣＤ５０に代えて、鍵盤２１上の各鍵に設けたランプの点灯により行うようにすることも考えられる。この場合には、このランプとＣＰＵ１１とが鍵表示手段として機能する。
【００４３】
次に、図５に、練習ボタン４４が押下された場合にＣＰＵ１１が実行する処理のフローチャートを示す。この処理は、練習モードでの楽曲データの再生に係る処理である。
ＣＰＵ１１は、練習ボタン４４の押下を検出すると、図５のフローチャートに示す処理を開始する。そして、再生する楽曲データ及び練習パートが指定されていれば、ステップＳ２１からステップＳ２２以下に進む。そして、再生する楽曲データのうち、練習パートと対応付けられているトラック以外のトラックの演奏データをマスタボリューム４６で指定されている音量で再生する。このステップＳ２２の処理において、ＣＰＵ１２が第２の再生手段として機能する。
【００４４】
また、楽曲データの再生と共に、練習パートと対応付けられているトラックの演奏データも読み出し、このデータに基づいて、図４のステップＳ１４及びＳ１５の場合と同様に、ＬＣＤ５０に楽譜及び押鍵すべき鍵を表示させる処理を行う（Ｓ２３乃至Ｓ２５）。
そしてその後、演奏データが終了するか、または練習ボタン４４又は開始／終了ボタン４５が押下されるまで、ステップＳ２２に戻って処理を繰り返し、演奏データが終了するか、又は練習ボタン４４又は開始／終了ボタン４５が押下された場合には、処理を終了する（Ｓ２６，Ｓ２７）。
【００４５】
また、ステップＳ２１で楽曲データ又は練習パートが指定されていなかった場合には、ＬＣＤ５０の文字表示部にその旨を示すメッセージを表示させて（Ｓ２８）処理を終了する。
以上の処理のうち、ステップＳ２２乃至Ｓ２５に示した処理において、再生及び楽譜や鍵の表示を任意の順番で行ってよいことや、楽譜や鍵の表示は行わなくてもよいことは、図４の場合と同様である。
【００４６】
以上の処理を行うことにより、ユーザは、練習ボタン４４を押下するだけで練習したいパート以外のパートを再生させることができるので、その再生に合わせて鍵盤２１で練習したいパートを演奏することにより、演奏のタイミングを計りながら効果的な練習を行うことができる。また、図５に示した処理において、練習パートと対応付けられているトラックについても、図４のステップＳ１３の場合と同様に、練習パートと対応付けられていないトラックよりも所定量小さい音量で再生するようにしてもよい。このようにすれば、練習したいパートを演奏する際に再生音をガイドとして利用することができるので、一層効果的な練習を行うことができる。
【００４７】
また、以上説明してきた電子楽器１０においては、試聴モードでの再生を指示するための試聴ボタン４３と練習モードでの再生を指示するための練習ボタン４４とを操作パネル４０上で近接した位置に設けているので、これらのモードをワンタッチで容易に切り替えて楽曲を再生させることができる。従って、練習したいパートを試聴した後で他のパートに合わせて演奏するような練習を簡単な操作で行うことができる。
【００４８】
なお、以上説明してきた実施形態においては、練習パートを、右手パートと左手パートの中から選択する例について説明したが、これら以外にも、パーカッション等のパートを練習パートとして指定することができるようにしてもよい。なお、右手パート又は左手パートにパーカッション等に係る演奏データを含むトラックを対応付けるようにすれば、上述した処理の範囲内でこのような機能を実現することも可能である。
【００４９】
また、試聴モードでの再生中に練習ボタン４４が押下された場合に、直ちに図４に示した処理を図５に示した処理に切り替えて、楽曲の再生中の位置から練習モードで再生を続行できるようにしてもよい。また、試聴モードの再生を中止して初めから練習モードでの再生を開始するようにしてもよい。逆に練習モードでの再生中に試聴ボタン４３が押下された場合にも試聴モードの再生について同様な取り扱いをするようにしてもよい。
また、上述した電子楽器において、練習モードの再生を行う機能を設けなくてもよい。
【００５０】
さらに、これら以外の点についても、装置の構成や、各操作パネルに設けるボタンの種類や配置、これらの操作方法、あるいは表示画面の構成及び表示形式等が、上述したものに限られないことはもちろんである。
例えば、また、試聴ボタンや練習ボタンを始めとする動作指示や設定のための操作子として、ＧＵＩ（グラフィカル・ユーザ・インタフェース）上に設けた操作子を用いてもよい。
また、電子音楽装置を、鍵盤等の演奏操作子、音源、サウンドシステム等を搭載したり外部装置として接続して利用可能としたりしたパーソナルコンピュータ（ＰＣ）、コンピュータゲーム機、カラオケ装置等として構成してもよい。そして、上述した各機能に係る処理や、演奏操作子及び音源の機能は、ハードウェアによって実現してもソフトウェアによって実現してもよい。
また、上述した実施形態においては、楽曲データを再生する動作を試聴モードや練習モードと呼んだが、これらのモードの使用目的が試聴や練習に限られることはない。
【産業上の利用可能性】
【００５１】
以上の説明から明らかなように、この発明の電子音楽装置によれば、複数トラックの演奏データからなる楽曲データのうち、指定したトラックに係る演奏データに基づく演奏を容易に試聴できるようにすることができる。従って、演奏の練習に適した電子音楽装置を提供することができる。
【図面の簡単な説明】
【００５２】
【図１】この発明の電子音楽装置の実施形態である電子楽器の構成を示すブロック図である。
【図２】図１に示した電子楽器においてＲＯＭに記憶させるデータの構成を示す図である。
【図３】同じく操作パネルの構成について説明するための図である。
【図４】図１に示した電子楽器のＣＰＵが試聴ボタンの押下を検出した場合に実行する処理のフローチャートである。
【図５】同じく練習ボタンの押下を検出した場合に実行する処理のフローチャートである。
【符号の説明】
【００５３】
１０…電子楽器、１１…ＣＰＵ，１２…ＲＯＭ、１３…ＲＡＭ、１４…タイマ、１５…外部記憶媒体Ｉ／Ｆ、１６…ＭＩＤＩＩ／Ｆ、１７…検出回路、１８…表示回路、１９…音源回路、２０…通信Ｉ／Ｆ、２１…鍵盤、２２…パネル操作子、２３…表示装置、２４…サウンドシステム、２５…通信バス、３１，３２…スピーカ、４０…操作パネル、４１…左手ボタン、４２…右手ボタン、４３…試聴ボタン、４４…練習ボタン、４５…開始／終了ボタン、４６…マスタボリューム、４７…ソング指定ボタン、４８…音色指定ボタン、４９…エンタボタン、５０…ＬＣＤ、５１…文字表示部、５２…楽譜表示部、５３…鍵盤表示部、６０…テンキー
【図１】
2006106641.tif 000004
【図２】
2006106641.tif 000005
【図３】
2006106641.tif 000006
【図４】
2006106641.tif 000007
【図５】
2006106641.tif 000008